(57)【要約】      （修正有）【課題】ブラジャーやブリーフ等の丸編みされた上部胴体用または下部胴体用の衣類、および丸編みされたブラジャーの形成方法を提供する。【解決手段】内側の層１１２および外側の層１１４から形成された丸編みの本体を有すると共に、丸編みの本体は少なくとも１つの胴体用またはウエスト用バンド１７０を有し、内側の層１１２および外側の層１１４は折り目に沿って重畳されており、弾性バンド１７０は内側の層１１２と外側の層１１４との間で折り目に近接して配置される。【選択図】図６
2019108653.tif 000002
【特許請求の範囲】
【請求項１】
上部胴体用衣類であって：
ａ．内側の層および外側の層から形成された本体であり、前胸部を覆う部分と、前記前胸部を覆う部分から延在する少なくとも１つの胴体用バンドとを有する本体と；
ｂ．下方の折り目に沿って重畳された前記内側の層および外側の層と；
ｃ．前記下方の折り目に近接して、前記内側の層および外側の層の間に配置された弾性バンドとを備える；
上部胴体用衣類。
【請求項２】
前記弾性バンドは、熱可塑性エラストマーフィルムを備える、
請求項１に記載の上部胴体用衣類。
【請求項３】
前記熱可塑性フィルムは、ポリアミドを含む、
請求項２に記載の上部胴体用衣類。
【請求項４】
前記熱可塑性フィルムのモジュラスは、前記本体のモジュラスより高い、
請求項２に記載の上部胴体用衣類。
【請求項５】
前記熱可塑性フィルムのモジュラスは、７キログラムの静荷重で６０％伸びが計測された場合、約１．０と約４．０キログラムの間である、
請求項２に記載の上部胴体用衣類。
【請求項６】
前記熱可塑性エラストマーフィルムの厚さは、約０．１ｍｍと約０．３ｍｍの間である、
請求項２に記載の上部胴体用衣類。
【請求項７】
前記熱可塑性エラストマーフィルムの幅は、約０．７５インチ（１９．０５ｍｍ）と約１．２５インチ（３１．７５ｍｍ）の間である、
請求項２に記載の上部胴体用衣類。
【請求項８】
前記弾性バンドは、前記本体の前記内側の層および外側の層の少なくとも一の内表面に前記弾性バンドを接着剤で固定するために、少なくとも片面が塗布された、
請求項１に記載の上部胴体用衣類。
【請求項９】
前記本体は、丸編みされた本体である、
請求項１に記載の上部胴体用衣類。
【請求項１０】
前記衣類は、ブラジャー、スポーツブラまたはキャミソールである、
請求項１乃至請求項９のいずれか１項に記載の上部胴体用衣類。
【請求項１１】
上部胴体用衣類の形成方法であって：
ａ．中心の折り目で折った際に内側の層および外側の層を有する二重の衣類を形成するために、対称的な寸法とされた本体を編むステップと；
ｂ．弾性バンドを前記折り目に近接して配置するステップと；
ｃ．ブラジャー本体の前記内側の層および外側の層を、前記折り目を中心に対称的に重畳し、前記弾性バンドを内包し、前胸部を覆う部分と、前記前胸部を覆う部分から延在する少なくとも１つの胴体用バンドを有する、二重のブラジャーを形成するステップとを備える；
上部胴体用衣類の形成方法。
【請求項１２】
前記弾性バンドは、熱可塑性エラストマーフィルムを備える、
請求項１１に記載の方法。
【請求項１３】
前記エラストマーフィルムは、ポリアミドを含む、
請求項１２に記載の方法。
【請求項１４】
前記弾性バンドは、前記編まれた本体の前記内側の層および外側の層の少なくとも一の内表面に前記弾性バンドを接着剤で固定するために、少なくとも片面が塗布された、
請求項１１に記載の方法。
【請求項１５】
特定の時間、加熱および加圧することによって、前記内側の層および外側の層の一つに前記弾性バンドを固定するステップを更に備える、
請求項１１に記載の方法。
【請求項１６】
前記加熱の温度は、華氏約１５０度（６５．６℃）と３８０度（１９３℃）の間であり、
前記加圧の圧力は、約１０ポンド毎平方インチ（６８．９５ｋＰａ）と約１２０ポンド毎平方インチ（８２７．４ｋＰａ）の間であり、
前記時間は、約５秒と約９０秒の間である、
請求項１５に記載の方法。
【請求項１７】
前記加熱の温度は、華氏約３２０度（１６０℃）であり、
前記加圧の圧力は、約３０ポンド毎平方インチ（２０６．８ｋＰａ）と約６０ポンド毎平方インチ（４１３．７ｋＰａ）の間であり、
前記時間は、約２０秒と約３０秒の間である、
請求項１６に記載の方法。
【請求項１８】
前記編むステップが、丸編みを含む、
請求項１１乃至請求項１７のいずれか１項に記載の方法。
【請求項１９】
下部胴体用衣類であって：
ａ．一対の脚の開口部と、前記脚の開口部の間の股部と、ウエスト開口部とを含む本体と；
ｂ．上方の折り目に沿って内側の層および外側の層が重畳するように前記本体の一部を折ることによって、前記ウエスト開口部に形成されたウエストバンドと；
ｃ．前記上方の折り目に近接して、前記内側の層および外側の層の間に配置された弾性バンドとを備える；
下部胴体用衣類。
【請求項２０】
前記弾性バンドは、熱可塑性エラストマーフィルムを備える、
請求項１９に記載の下部胴体用衣類。
【請求項２１】
前記熱可塑性フィルムは、ポリアミドを含む、
請求項２０に記載の下部胴体用衣類。
【請求項２２】
前記熱可塑性フィルムのモジュラスは、前記本体のモジュラスより高い、
請求項２０に記載の下部胴体用衣類。
【請求項２３】
前記弾性バンドは、前記本体の前記内側の層および外側の層の少なくとも一の内表面に前記弾性バンドを接着剤で固定するために、少なくとも片面が塗布された、
請求項１９に記載の下部胴体用衣類。
【請求項２４】
前記本体は、丸編みされた本体である、
請求項１９に記載の下部胴体用衣類。
【請求項２５】
前記衣類は、ボクサー、ブリーフ、ボクサーブリーフ、パンティ、パンティストッキング、または矯正下着である、
請求項１９乃至請求項２４のいずれか１項に記載の下部胴体用衣類。
【発明の詳細な説明】
【技術分野】
【０００１】
本発明は、ブラジャーやブリーフ等の、上部および下部胴体用の丸編みされた（筒状に編んだ）衣類に関する。より詳細には、本発明は、バンド（帯体、ｂａｎｄ）が生地の重畳層の間に固定されている、改良された胸部のバンドを有する丸編みされたブラジャーおよび改良されたウエストのバンドを有する丸編みされた下部胴体用の下着に関する。
【背景技術】
【０００２】
ブラジャー全般、特にスポーツブラ等の上部胴体用の衣類は、着用者に安定感と更なるサポート力を提供するためにブラジャーの下縁に編みこまれた、または取り付けられた、胴体を取り囲むバンドを有する。このようなバンドは、ブリーフ等の下部胴体用の下着の上縁にも編み込まれる、または取り付けられており、ウエストのバンドとして機能する。胸部のバンドまたはウエストのバンドを形成する公知の方法の一つとして、生地の筒を編む工程においてターンドウェルト（ｔｕｒｎｅｄ  ｗｅｌｔ、折り返した縁かがり）を編むことが知られている。別の方法としては、ブラジャーの下縁またはブリーフの上縁の全周にわたり弾性バンドを縫い付ける方法があるが、この追加の工程は追加の労力を要すると共にコストを増加させる。このようにして得られたバンドは、比較的かさばり厚みが出る傾向にあるため、より目立つと共に着用した際の快適性も劣る。
【発明の概要】
【０００３】
本発明の一の態様は、編み生地の重畳層の間に固定された薄い弾性バンドを有する、丸編みされたブラジャーやブリーフ等の衣類である。例示である一の実施の形態において、弾性バンドは、弾性バンドのモジュラスがｓｐａｎｄｅｘ（スパンデックス）およびＬｙｃｒａ（登録商標、ライクラ）等の従来の弾性の糸によって得られるモジュラス（キログラムで表した保持力）よりも高いモジュラスを有する、薄いポリアミドフィルムを備える。生地とフィルムのモジュラスは合計すると、約１．０ｋｇと４ｋｇとの間とすることができる。本明細書中において「モジュラス」という用語は、所与の割合で材料を伸ばした際の材料の復元力をキログラムで表したものである。モジュラスが高いほど、材料は硬い（ｓｔｉｆｆ）、即ち、材料は線形伸びに対してより耐性を有する。弾性材料の種類、その幅および厚さによってモジュラスは大きく変動することがある。
【０００４】
本発明の別の態様は、生地の重畳層の間に固定された弾性バンドを有する、ブラジャーや下部胴体用の下着を形成する方法である。この方法は、中心の折り目で折った際に内側および外側の層を有する、二重の衣類を形成するために対称的な寸法とされた本体を丸編みするステップを備える。弾性バンドが折り目に近接して配置されていると共に、生地が折り目を中心に対称的に重畳されており、これにより弾性バンドが内包されて、より薄い、従って、より目立たず、着用した際もより快適な、胴体用バンドを具備する二重の衣類が形成される。一の実施の形態において、弾性バンドは、編み生地の内側および外側の層のいずれか一方または両方に、特定の時間、加熱および加圧することにより固定される。
【図面の簡単な説明】
【０００５】
本発明は、下記の詳細な実施の形態の説明と添付図面とにより、より明らかになるであろう。
【０００６】
【図１】図１は、本発明のブラジャーの正面斜視図である。
【０００７】
【図２】図２は、図１のブラジャーの背面斜視図であって、背面の閉じ口を有する実施の形態を示す図である。
【０００８】
【図３】図３は、図１のブラジャーの背面斜視図であって、背面の閉じ口のないスポーツブラの実施の形態を示す図である。
【０００９】
【図４】図４は、図１、２のブラジャーの正面図である。
【００１０】
【図５】図５は、図１、２のブラジャーの背面図である。
【００１１】
【図６】図６は、図１のブラジャーの６−６断面図である。
【００１２】
【図７】図７は、本発明のボクサーブリーフの正面斜視図である。
【００１３】
【図８】図８は、図７のブリーフの８−８断面図である。
【発明を実施するための形態】
【００１４】
本発明の一の態様は、ブラジャー、スポーツブラ、およびキャミソール等の上部胴体用の衣類に関する。概して図１乃至図６を参照して、丸編みのブラジャーが符号１００として全体的に示されている。従来の丸編み機で形成された丸編みのブラジャー１００は、重畳する内側１１２および外側１１４の層、即ち生地の層を有する二重のブラジャーの本体を含んでなることができる。本明細書中では、二重のブラジャーについて示し説明するが、本発明は二重の衣類に限定されず、ブラジャーや下部胴体用の下着等の一重の衣類も本発明の範囲に含まれる。
【００１５】
ブラジャーの本体は、ポリエステル、ナイロン等の従来の材料のいずれかによって形成することができる。本体はまた、衣類を着用者の胴体周りに固定するためにある程度の弾性を有する、ｓｐａｎｄｅｘ等の１種以上の弾性糸を編むことにより形成することができる。本明細書中に記載する実施の形態での生地の各層の厚さは、約０．６ｍｍから約２．０ｍｍとすることができる。
【００１６】
図２、図４および図５に示すとおり、本明細書中に開示されるブラジャーは、一対の胸カップ１２０と、各胸カップ１２０の外縁から外側に延在する、胴体を取り囲むストラップ１３０とを含み、２本の胴体ストラップ１３０が着用者の背中において留め具１５０によって留められる。図３の例示の実施の形態においては、１本の連続した胴体ストラップ１３５が各胸カップ１２０の外縁の間に延在して着用者の胴体を取り囲む。この実施の形態は、被るスポーツタイプのブラジャーの典型である。更に、胸カップ１２０は、ブラジャーの本体の形成後に成形するか、編み工程において緩い領域として本体の前側に編み込むことができる。
【００１７】
図１乃至図６に示すとおり、ブラジャー１００の下部に沿って、内側１１２の層と外側１１４の層との間に弾性バンド１７０が挿入されており、弾性バンド１７０は、胸カップ１２０および中央のまち（三角切れ）１８０の下を通って、胴体のストラップ１３０、１３５の下縁に沿って延在している。
【００１８】
ここで、図６に転ずると、ブラジャー１００の弾性バンド１７０は、改善されたモジュラスを有すると共に、伸びの有効範囲の全域にわたって比較的一貫したモジュラスを維持する、比較的薄い弾性の材料を備える。ブラジャー１００のタイプおよびスタイルに応じて、衣類を着用した際に弾性の材料を目立たなくするよう、弾性バンド１７０の厚さを約０．０１０ｍｍと０．４５ｍｍとの間の範囲とすることができる。弾性バンド１７０の最適な厚さは、ブラジャー１００に付与される所望のコントロールレベルに依存するが、これは典型的に、サイズに依存する。言うまでもなく、弾性バンド１７０は、薄ければ薄いほど着用した際に目立ち難い。ブラジャー１００のタイプおよびスタイルに応じたコントロールおよびサポートの度合いは、弾性バンド１７０の幅にも依存する。弾性バンド１７０の幅は、最小限のブラアップサポートを提供するブラジャーにおける約４分の１（１／４）インチ（６．３５ｍｍ）から、下部胴体制御用衣類の７インチ（１７７．８ｍｍ）またはそれ以上の幅の範囲とすることができる。本明細書に示す例示の実施の形態における最適な幅は、約４分の３（３／４）インチ（１９．０５ｍｍ）と１と４分の１（１＋１／４）インチ（３１．７５ｍｍ）との間である。
【００１９】
一の実施の形態において、弾性バンド１７０は熱可塑性エラストマー（ＴＰＥ）の薄いフィルムを備える。熱可塑性エラストマーはポリアミドブレンドを含むことができる。かかるポリアミドブレンドは、商標名Ｐｅｂａｘ（登録商標）でペンシルベニア州のキングオブプラシアにあるアルケマ社（Ａｒｋｅｍａ  Ｉｎｃ．）から入手可能である。下記に記載する物理的特性を有する他のフィルムなどの、他の薄い弾性材料は、弾性バンド１７０の形成に適している。
【００２０】
例示および比較を目的として、本明細書の例示の実施の形態において、例えばターンドウェルトなどの典型的な編み込み型の胴体用バンドの厚さは略２．０ｍｍである。ターンドウェルトと同様の重量を有する弾性バンドを縫い込んだ、カットソー（ｃｕｔ  ａｎｄ  ｓａｗ、裁断・縫製）のブラジャーの厚さは略１．８ｍｍである。ポリアミドフィルムを有するバンドの厚さは、略１．５ｍｍである。
【００２１】
弾性の材料のモジュラスは、その材料の種類、幅、および厚さに依存する。本明細書で説明する例示の実施の形態において、最適なモジュラスは約１．０と４．０キログラムとの間とすることができる。下記の表１に幾つかの例を示すが、このモジュラスの範囲は、弾性バンド１７０に７キログラムの静荷重を長さ方向にかけた場合の、約９５％と１４０％との間の変形（伸び）に相当する。
【表１】
2019108653.tif 000003
【００２２】
比較のため、ブラジャー１００の本体は、１キログラム未満のモジュラスを有するものとする。例えば、８９重量％のナイロンと１１重量％のｓｐａｎｄｅｘとの従来のブレンドにより形成された、２枚の重畳された生地の層のモジュラスは、４０％伸びにおいて約０．１３２ｋｇであり、６０％伸びにおいては約０．３５ｋｇである。上記表１にも示すとおり、弾性バンドは、伸びが増加するほどモジュラスの増加が減少する。これにより、広範囲のサイズにおいて快適なブラジャー１００が作成される。折り目１７３に近接したブラジャーの下部における胴体用バンドの領域では、表１のサンプルと同様の７ｋｇの荷重下で試験した際に、二重の本体の材料だけで、１６０％の伸びを許容できる。
【００２３】
再度、図６を参照すると、本発明のブラジャー１００を形成する方法が最も良く示されている。ブラジャーの本体、またはブランク（素材）は、従来の丸編み機によって筒状に編まれる。筒の中央周辺は折り目１７３に相当し、折り目１７３を中心に内側１１２の層と外側１１４の層とが重畳されて二重のブラジャーの本体となる。
【００２４】
弾性バンド１７０は、中央の折り目１７３に近接して、且つこの中央の折り目１７３で筒を折った際に二重のブラジャーの本体の内面になる部分に位置決めされている。弾性バンド１７０は、その片面または両面にヒートシール接着剤１７２を塗布され、ブラジャー構造が完成すると定位置に接着されるようにすることができる。適切なヒートシール接着剤１７２の一つは、マサチューセッツ州ニューベリーポートにあるビクスビーインターナショナル社（Ｂｉｘｂｙ  Ｉｎｔｅｒｎａｔｉｏｎａｌ  Ｃｏｒｐ．）より入手可能なＲＸ２６４１である。しかし、本発明は、バンド１７０の接着にヒートシール接着剤を用いることに限定されず、他の適切な材料および方法を用いてバンドを衣類に固定することも本発明の範囲に含まれる。
【００２５】
次に、ブラジャーの本体の内側１１２の層と外側１１４の層は、折り目１７３を中心に対称的に重畳され、それにより弾性バンド１７０が内包され、上記のとおり、二重のブラジャーの本体が形成される。ヒートシール接着剤１７２が弾性バンド１７０の片面または両面に塗布される場合、弾性バンド１７０は、上下の発熱体を有する空気式プレスによって二層の生地の間に固定される。加熱の温度は、華氏約１５０度（６５．６℃）と３８０度（１９３℃）との間とすることができるが、好ましくは華氏約３２０度（１６０℃）である。かける圧力は、約１０ｐｓｉ（６８．９５ｋＰａ）以上、約１２０ｐｓｉ（８２７．４ｋＰａ）以下、好ましくは約３０ｐｓｉ（２０６．８５ｋＰａ）と約６０ｐｓｉ（４１３．７ｋＰａ）との間である。好ましい圧力は、約５秒以上、約９０秒以下、好ましくは約２０と約３０秒との間でかけるものとする。
【００２６】
一旦、弾性バンド１７０が内側１１２の層と外側１１４の層との間に接着されると、ブラジャーの本体を所望形状に裁断することができる。次に、自由縁に沿ってトリム１９０が固定され、肩のストラップ１６０が取り付けられ、留め具１５０が固定されると、ブラジャー１００の構造が完成する。肩のストラップの各部１６０とブラジャー本体を一体に成形して裁断する場合、両者を肩の最上部付近で縫い合わせればよい。同様に、胴体のストラップ１３５が一続きになっている場合、留め具１５０は不要である。
【００２７】
本発明の他の態様は、ボクサー、ブリーフ、ボクサーブリーフ、パンティ、パンティストッキング、矯正下着等の、環状に編まれた下部胴体用の衣類に関する。図７および図８を参照して、ボクサーブリーフが符号２００により全体的に示されている。従来の丸編み機で形成された丸編みのブリーフ２００は、ポリエステル、ナイロン等の従来の材料のいずれかによって形成される本体を備える。また本体は、衣類を着用者の下部胴体周りに固定するために、ある程度の弾性を有する、ｓｐａｎｄｅｘ等の１種以上の弾性糸で編むことにより形成することができる。
【００２８】
本発明のブリーフ２００は、一対の脚の開口部２１０と、股部２３０と、本開示のウエストバンド２５０に取り囲まれたウエスト開口部２２０とを有する。説明した実施の形態は、ボクサースタイルのブリーフに典型的な脚部２４０を有する。従来のブリーフ、即ち、脚部２４０の無い、ウエストバンド２５０を有する男性または女性用のブリーフも本発明の範囲に含まれる。
【００２９】
図８に最も良く示すように、弾性バンド２７０は、上述のとおり、ブリーフ２００のウエスト開口部２２０に沿って内側２１２と外側２１４の生地の間に挿入されている。内側および外側の生地の層２１２、２１４は共に、丸編み機で作成された１つの筒の一部として形成されている。筒の最上部は、最上部の折り目２７３に沿って下向きに折り曲げられ、二重になったウエストのバンド２５０を形成する。この際、弾性バンド２７０は折り目２７３に隣接して配設され、二重の生地によって覆われている。弾性バンド２７０、内側の層２１２、および外側の層２１４は、上述の方法と同様に熱と圧力を用いて、上述の接着剤２７２で定位置に固定することができる。弾性バンドをブリーフ２００の本体に接着するその他の方法も本発明の範囲に含まれる。
【００３０】
前述の記載および例は、本発明を説明するためのものであると理解されるべきである。当業者は、本発明の精神と範囲から逸脱することなく、種々の代替および改変例を考案することが可能である。従って、本発明は、そのような全ての代替、改変、変更を包含することを意図する。
【図１】
2019108653.tif 000004
【図２】
2019108653.tif 000005
【図３】
2019108653.tif 000006
【図４】
2019108653.tif 000007
【図５】
2019108653.tif 000008
【図６】
2019108653.tif 000009
【図７】
2019108653.tif 000010
【図８】
2019108653.tif 000011
【手続補正書】
【提出日】平成31年3月4日(2019.3.4)
【手続補正１】
【補正対象書類名】特許請求の範囲
【補正対象項目名】全文
【補正方法】変更
【補正の内容】
【特許請求の範囲】
【請求項１】
上部胴体用衣類であって：
ａ．内側の層および外側の層から形成された本体であり、前胸部を覆う部分と、前記前胸部を覆う部分から延在する少なくとも１つの胴体用バンドとを有する本体と；
ｂ．下方の折り目に沿って重畳された前記内側の層および外側の層と；
ｃ．熱可塑性エラストマーフィルムを備える弾性バンドであって、前記下方の折り目に近接して、前記内側の層および外側の層の間に配置された前記弾性バンドと；を備え、
前記熱可塑性エラストマーフィルムの厚さは、約０．１ｍｍと約０．３ｍｍの間であり、
前記熱可塑性エラストマーフィルムのモジュラスは、７キログラムの静荷重で６０％伸びが計測された場合、約１．０と約４．０キログラムの間であり、
前記熱可塑性エラストマーフィルムのモジュラスは、前記本体のモジュラスより高い、
上部胴体用衣類。
【請求項２】
前記熱可塑性エラストマーフィルムは、ポリアミドを含む、
請求項１に記載の上部胴体用衣類。
【請求項３】
前記熱可塑性エラストマーフィルムの幅は、約０．７５インチ（１９．０５ｍｍ）と約１．２５インチ（３１．７５ｍｍ）の間である、
請求項１に記載の上部胴体用衣類。
【請求項４】
前記弾性バンドは、前記本体の前記内側の層および外側の層の少なくとも一の内表面に前記弾性バンドを接着剤で固定するために、少なくとも片面が塗布された、
請求項１に記載の上部胴体用衣類。
【請求項５】
前記衣類は、ブラジャー、スポーツブラまたはキャミソールである、
請求項１に記載の上部胴体用衣類。
【請求項６】
上部胴体用衣類の形成方法であって：
ａ．中心の折り目で折った際に内側の層および外側の層を有する二重の衣類を形成するために、対称的な寸法とされた本体を編むステップと；
ｂ．約０．１ｍｍと約０．３ｍｍの間の厚さを有し、７キログラムの静荷重で６０％伸びが計測された場合、約１．０と約４．０キログラムの間のモジュラスを有する熱可塑性エラストマーフィルムを備える、弾性バンドを選択するステップと；
ｃ．前記弾性バンドを前記折り目に近接して配置するステップと；
ｄ．ブラジャー本体の前記内側の層および外側の層を、前記折り目を中心に対称的に重畳し、前記弾性バンドを内包し、前胸部を覆う部分と、前記前胸部を覆う部分から延在する少なくとも１つの胴体用バンドを有する、前記ブラジャーを形成するステップとを備え；
前記弾性バンドは、編まれた前記本体の前記内側の層および外側の層の少なくとも一の内表面に前記弾性バンドを接着剤で固定するために、少なくとも片面が塗布された、
上部胴体用衣類の形成方法。
【請求項７】
前記エラストマーフィルムは、ポリアミドフィルムである、
請求項６に記載の方法。
【請求項８】
特定の時間、加熱および加圧することによって、前記内側の層および外側の層の一つに前記弾性バンドを固定するステップを更に備える、
請求項６に記載の方法。
【請求項９】
前記加熱の温度は、華氏約１５０度（６５．６℃）と３８０度（１９３℃）の間であり、
前記加圧の圧力は、約１０ポンド毎平方インチ（６８．９５ｋＰａ）と１２０ポンド毎平方インチ（８２７．４ｋＰａ）の間であり、
前記時間は、約５秒と９０秒の間である、
請求項８に記載の方法。
【請求項１０】
前記加熱の温度は、華氏約３２０度（１６０℃）であり、
前記加圧の圧力は、約３０ポンド毎平方インチ（２０６．８ｋＰａ）と約６０ポンド毎平方インチ（４１３．７ｋＰａ）の間であり、
前記時間は、約２０秒と３０秒の間である、
請求項９に記載の方法。
【請求項１１】
前記本体は、丸編みされた本体である、
請求項１に記載の上部胴体用衣類。
【請求項１２】
前記編むステップが、丸編みをさらに備える、
請求項６に記載の方法。
【請求項１３】
前記熱可塑性エラストマーフィルムのモジュラスは、７キログラムの静荷重で４０％伸びが計測された場合、約１．０キログラム以上である、
請求項６に記載の方法。
【請求項１４】
前記衣類の前記内側の層および外側の層を加えた前記熱可塑性エラストマーフィルムのモジュラスは、７キログラムの静荷重で６０％伸びが計測された場合、約１．０と約４．０キログラムの間である、
請求項６に記載の方法。
【請求項１５】
前記熱可塑性エラストマーフィルムのモジュラスは、７キログラムの静荷重で４０％伸びが計測された場合、約１．０キログラム以上である、
請求項１に記載の上部胴体用衣類。
【請求項１６】
前記衣類の前記内側の層および外側の層を加えた前記熱可塑性エラストマーフィルムのモジュラスは、７キログラムの静荷重で６０％伸びが計測された場合、約１．０と約４．０キログラムの間である、
請求項１に記載の上部胴体用衣類。
【請求項１７】
下部胴体用衣類であって：
ａ．丸編みされた本体であって、丸編みされた前記本体は、一対の脚の開口部と、前記脚の開口部の間の股部と、ウエスト開口部とを有する、前記本体と；
ｂ．上方の折り目に沿って重畳する内側の層および外側の層を提供するように、編まれた前記本体の一部を折ることによって、前記ウエスト開口部に形成されたウエストバンドと；
ｃ．熱可塑性エラストマーフィルムを備える弾性バンドであって、前記上方の折り目に近接して、前記内側の層および外側の層の間に配置された前記弾性バンドと；を備え、
前記熱可塑性エラストマーフィルムの厚さは、約０．１ｍｍと約０．３ｍｍの間であり、
前記熱可塑性エラストマーフィルムのモジュラスは、７キログラムの静荷重で６０％伸びが計測された場合、約１．０と約４．０キログラムの間である、
下部胴体用衣類。
【請求項１８】
前記熱可塑性エラストマーフィルムは、ポリアミドを含む、
請求項１７に記載の下部胴体用衣類。
【請求項１９】
前記熱可塑性エラストマーフィルムのモジュラスは、丸編みされた前記本体のモジュラスより高い、
請求項１７に記載の下部胴体用衣類。
【請求項２０】
前記弾性バンドは、丸編みされた前記本体の前記内側の層および外側の層の少なくとも一の内表面に前記弾性バンドを接着剤で固定するために、少なくとも片面が塗布された、
請求項１７に記載の下部胴体用衣類。
【請求項２１】
前記衣類は、ボクサー、ブリーフ、ボクサーブリーフ、パンティ、パンティストッキング、または矯正下着である、
請求項１７に記載の下部胴体用衣類。
【請求項２２】
前記熱可塑性エラストマーフィルムの幅は、約０．７５インチ（１９．０５ｍｍ）と約１．２５インチ（３１．７５ｍｍ）の間である、
請求項１７に記載の下部胴体用衣類。
【請求項２３】
前記熱可塑性エラストマーフィルムのモジュラスは、７キログラムの静荷重で４０％伸びが計測された場合、約１．０キログラム以上である、
請求項１７に記載の下部胴体用衣類。
【請求項２４】
前記衣類の前記内側の層および外側の層を加えた前記熱可塑性エラストマーフィルムのモジュラスは、７キログラムの静荷重で６０％伸びが計測された場合、約１．０と約４．０キログラムの間である、
請求項１７に記載の下部胴体用衣類。
【手続補正２】
【補正対象書類名】明細書
【補正対象項目名】００３０
【補正方法】変更
【補正の内容】
【００３０】
前述の記載および例は、本発明を説明するためのものであると理解されるべきである。当業者は、本発明の精神と範囲から逸脱することなく、種々の代替および改変例を考案することが可能である。従って、本発明は、そのような全ての代替、改変、変更を包含することを意図する。
［第１の局面］
上部胴体用衣類であって：
ａ．内側の層および外側の層から形成された本体であり、前胸部を覆う部分と、前記前胸部を覆う部分から延在する少なくとも１つの胴体用バンドとを有する本体と；
ｂ．下方の折り目に沿って重畳された前記内側の層および外側の層と；
ｃ．前記下方の折り目に近接して、前記内側の層および外側の層の間に配置された弾性バンドとを備える；
上部胴体用衣類。
［第２の局面］
前記弾性バンドは、熱可塑性エラストマーフィルムを備える、
第１の局面に記載の上部胴体用衣類。
［第３の局面］
前記熱可塑性フィルムは、ポリアミドを含む、
第２の局面に記載の上部胴体用衣類。
［第４の局面］
前記熱可塑性フィルムのモジュラスは、前記本体のモジュラスより高い、
第２の局面に記載の上部胴体用衣類。
［第５の局面］
前記熱可塑性フィルムのモジュラスは、７キログラムの静荷重で６０％伸びが計測された場合、約１．０と約４．０キログラムの間である、
第２の局面に記載の上部胴体用衣類。
［第６の局面］
前記熱可塑性エラストマーフィルムの厚さは、約０．１ｍｍと約０．３ｍｍの間である、
第２の局面に記載の上部胴体用衣類。
［第７の局面］
前記熱可塑性エラストマーフィルムの幅は、約０．７５インチ（１９．０５ｍｍ）と約１．２５インチ（３１．７５ｍｍ）の間である、
第２の局面に記載の上部胴体用衣類。
［第８の局面］
前記弾性バンドは、前記本体の前記内側の層および外側の層の少なくとも一の内表面に前記弾性バンドを接着剤で固定するために、少なくとも片面が塗布された、
第１の局面に記載の上部胴体用衣類。
［第９の局面］
前記本体は、丸編みされた本体である、
第１の局面に記載の上部胴体用衣類。
［第１０の局面］
前記衣類は、ブラジャー、スポーツブラまたはキャミソールである、
第１の局面乃至第９の局面のいずれかに記載の上部胴体用衣類。
［第１１の局面］
上部胴体用衣類の形成方法であって：
ａ．中心の折り目で折った際に内側の層および外側の層を有する二重の衣類を形成するために、対称的な寸法とされた本体を編むステップと；
ｂ．弾性バンドを前記折り目に近接して配置するステップと；
ｃ．ブラジャー本体の前記内側の層および外側の層を、前記折り目を中心に対称的に重畳し、前記弾性バンドを内包し、前胸部を覆う部分と、前記前胸部を覆う部分から延在する少なくとも１つの胴体用バンドを有する、二重のブラジャーを形成するステップとを備える；
上部胴体用衣類の形成方法。
［第１２の局面］
前記弾性バンドは、熱可塑性エラストマーフィルムを備える、
第１１の局面に記載の方法。
［第１３の局面］
前記エラストマーフィルムは、ポリアミドを含む、
第１２の局面に記載の方法。
［第１４の局面］
前記弾性バンドは、前記編まれた本体の前記内側の層および外側の層の少なくとも一の内表面に前記弾性バンドを接着剤で固定するために、少なくとも片面が塗布された、
第１１の局面に記載の方法。
［第１５の局面］
特定の時間、加熱および加圧することによって、前記内側の層および外側の層の一つに前記弾性バンドを固定するステップを更に備える、
第１１の局面に記載の方法。
［第１６の局面］
前記加熱の温度は、華氏約１５０度（６５．６℃）と３８０度（１９３℃）の間であり、
前記加圧の圧力は、約１０ポンド毎平方インチ（６８．９５ｋＰａ）と約１２０ポンド毎平方インチ（８２７．４ｋＰａ）の間であり、
前記時間は、約５秒と約９０秒の間である、
第１５の局面に記載の方法。
［第１７の局面］
前記加熱の温度は、華氏約３２０度（１６０℃）であり、
前記加圧の圧力は、約３０ポンド毎平方インチ（２０６．８ｋＰａ）と約６０ポンド毎平方インチ（４１３．７ｋＰａ）の間であり、
前記時間は、約２０秒と約３０秒の間である、
第１６の局面に記載の方法。
［第１８の局面］
前記編むステップが、丸編みを含む、
第１１の局面乃至第１７の局面のいずれかに記載の方法。
［第１９の局面］
下部胴体用衣類であって：
ａ．一対の脚の開口部と、前記脚の開口部の間の股部と、ウエスト開口部とを含む本体と；
ｂ．上方の折り目に沿って内側の層および外側の層が重畳するように前記本体の一部を折ることによって、前記ウエスト開口部に形成されたウエストバンドと；
ｃ．前記上方の折り目に近接して、前記内側の層および外側の層の間に配置された弾性バンドとを備える；
下部胴体用衣類。
［第２０の局面］
前記弾性バンドは、熱可塑性エラストマーフィルムを備える、
第１９の局面に記載の下部胴体用衣類。
［第２１の局面］
前記熱可塑性フィルムは、ポリアミドを含む、
第２０の局面に記載の下部胴体用衣類。
［第２２の局面］
前記熱可塑性フィルムのモジュラスは、前記本体のモジュラスより高い、
第２０の局面に記載の下部胴体用衣類。
［第２３の局面］
前記弾性バンドは、前記本体の前記内側の層および外側の層の少なくとも一の内表面に前記弾性バンドを接着剤で固定するために、少なくとも片面が塗布された、
第１９の局面に記載の下部胴体用衣類。
［第２４の局面］
前記本体は、丸編みされた本体である、
第１９の局面に記載の下部胴体用衣類。
［第２５の局面］
前記衣類は、ボクサー、ブリーフ、ボクサーブリーフ、パンティ、パンティストッキング、または矯正下着である、
第１９の局面乃至第２４の局面のいずれかに記載の下部胴体用衣類。
【外国語明細書】
2019108653000001.pdf